(57)【要約】【課題】本発明は、記録媒体のメーカー間や製造ロット間等による個体差に影響されることなく、品質変化を監視して一定レベルの品質維持が可能な有効期限を予測してユーザに通知することができる情報記録再生装置及び方法、並びにプログラムを提供する。【解決手段】本情報記録再生装置は、ディスク状記録媒体２０１と、磁気ヘッド２０６と、記録処理部２０７と、再生処理部２０８と、診断処理部２０９と、表示部２１０と、ディスクＩＤ検出部２１１と、システムコントローラ２１２と、メモリ２１３とを備え、診断処理部２０９において、ディスク診断を実施してディスク２０１の特性を診断履歴情報としてメモリ２１３に保存し、当該診断履歴情報に基づいてディスク２０１の特性変化予測を行い、その結果を表示してユーザに通知する。【選択図】　　　図１６
2004062975.tif 000002
【特許請求の範囲】
【請求項１】
記録媒体への情報の記録及び前記記録媒体に記録された情報の再生の少なくとも１つを行う記録再生手段を備える情報記録再生装置において、
前記記録再生手段は、前記情報の記録及び前記情報の再生の少なくとも１つを行うときに前記記録媒体の特性を診断する診断手段と、
前記診断手段により得られた記録媒体の特性を診断履歴情報として保存するメモリ手段と、
前記診断履歴情報に基づいて前記記録媒体の特性が所定レベルに達する時期を予測する予測手段と、
前記診断履歴情報及び前記予測された時期を含む所定の情報を表示する表示手段とを備えることを特徴とする情報記録再生装置。
【請求項２】
前記診断手段は、前記記録媒体の特性の診断を前記記録媒体の温度変化に応じて行うことを特徴とする請求項１記載の情報記録再生装置。
【請求項３】
前記記録再生手段は、ディスク状記録媒体を用いた記録再生動作を行うことを特徴とする請求項１又は２記載の情報記録再生装置。
【請求項４】
前記診断手段は、記録パワーを複数段階切り換えて所定のデータの記録を行い、当該記録されたデータの再生により所定の記録条件を満足する記録パワーマージンを算出し、当該記録パワーマージンを前記診断履歴情報として保存することを特徴とする請求項１乃至３のいずれか１項に記載の情報記録再生装置。
【請求項５】
前記診断手段は、再生パワーを複数段階切り換えて所定のデータの再生を行い、当該記録されたデータの再生により所定の再生条件を満足する再生パワーマージンを算出し、当該再生パワーマージンを前記診断履歴情報として保存することを特徴とする請求項１乃至４のいずれか１項に記載の情報記録再生装置。
【請求項６】
前記診断手段は、前記記録又は前記再生に関する所定のパラメータの初期値を設定して最良のエラーレートを算出し、当該エラーレートを前記診断履歴情報として保存することを特徴とする請求項１乃至５のいずれか１項に記載の情報記録再生装置。
【請求項７】
前記診断手段は、前記記録媒体の記録再生が不能な個所である欠陥個所を検出する欠陥検出手段を備え、検出された欠陥個所を前記診断履歴情報として保存することを特徴とする請求項１乃至６のいずれか１項に記載の情報記録再生装置。
【請求項８】
前記診断手段は、前記記録媒体の反り量を検出するチルト検出手段を備え、検出されたチルト量を前記診断履歴情報として保存することを特徴とする請求項１乃至７のいずれか１項に記載の情報記録再生装置。
【請求項９】
前記予測手段は、前記診断手段により得られた診断履歴情報に基づいて前記記録パワーマージンの経時変化量を少なくとも一次曲線で近似曲線化し、前記記録媒体の特性が前記所定レベルに達する時期を算出する算出手段を備えることを特徴とする請求項４乃至８のいずれか１項に記載の情報記録再生装置。
【請求項１０】
前記表示手段は、前記診断手段により得られた診断履歴情報に基づいて前記記録媒体の特性の経時相対変化量を表示することを特徴とする請求項１乃至９のいずれか１項に記載の情報記録再生装置。
【請求項１１】
前記表示手段は、前記診断手段により得られた診断履歴情報に基づいて前記記録媒体の特性を所定基準レベルと比較して表示することを特徴とする請求項１乃至１０のいずれか１項に記載の情報記録再生装置。
【請求項１２】
前記診断手段は、通常の運用時に得られる前記記録媒体の特性を診断履歴情報として保存すると共に、操作スイッチ、タッチパネル、音声認識、及びポインティングデバイスによる指示又はそれらの組み合わせにより診断動作を開始することを特徴とする請求項１乃至１１のいずれか１項に記載の情報記録再生装置。
【請求項１３】
前記記録媒体が有する固有識別番号を検出する固有識別番号検出手段と、当該固有識別番号を有していない記録媒体に対して新たな固有識別番号を生成する生成手段と、前記生成された固有識別番号を前記記録媒体に記録する記録手段とを備えることを特徴とする請求項１乃至１２のいずれか１項に記載の情報記録再生装置。
【請求項１４】
記録媒体への情報の記録及び前記記録媒体に記録された情報の再生の少なくとも１つを行う記録再生手段を備える情報記録再生装置において、
前記記録再生手段は、前記記録媒体の固有識別番号と前記情報記録再生装置の固有識別番号との組み合わせに基づいて前記記録媒体の特性を診断する診断手段と、
前記診断手段により得られた記録媒体の特性を診断履歴情報として当該記録媒体に記録する記録手段と、
前記診断履歴情報に基づいて前記記録媒体の特性が所定レベルに達する時期を予測する予測手段と、
前記診断履歴情報及び前記予測された時期を含む所定の情報を表示する表示手段とを備えることを特徴とする情報記録再生装置。
【請求項１５】
記録媒体への情報の記録及び前記記録媒体に記録された情報の再生の少なくとも１つを行う記録再生工程を備える情報記録再生方法において、
前記情報の記録及び前記情報の再生の少なくとも１つを行うときに前記記録媒体の特性を診断する診断工程と、
前記診断工程にて得られた記録媒体の特性を診断履歴情報として保存するメモリ工程と、
前記診断履歴情報に基づいて前記記録媒体の特性が所定レベルに達する時期を予測する予測工程と、
前記診断履歴情報及び前記予測された時期を含む情報を表示する表示工程とを備えることを特徴とする情報記録再生方法。
【請求項１６】
前記診断工程は、前記記録媒体の特性の診断を前記記録媒体の温度変化に応じて行うことを特徴とする請求項１５記載の情報記録再生方法。
【請求項１７】
前記記録再生工程は、ディスク状記録媒体を用いた記録再生動作を行うことを特徴とする請求項１５又は１６記載の情報記録再生方法。
【請求項１８】
前記診断工程は、記録パワーを複数段階切り換えて所定のデータの記録を行い、当該記録されたデータの再生により所定の記録条件を満足する記録パワーマージンを算出し、当該記録パワーマージンを前記診断履歴情報として保存することを特徴とする請求項１５乃至１７のいずれか１項に記載の情報記録再生方法。
【請求項１９】
前記診断工程は、再生パワーを複数段階切り換えて所定のデータの再生を行い、当該記録されたデータの再生により所定の再生条件を満足する再生パワーマージンを算出し、当該再生パワーマージンを前記診断履歴情報として保存することを特徴とする請求項１５乃至１８のいずれか１項に記載の情報記録再生方法。
【請求項２０】
前記診断工程は、前記記録又は前記再生に関する所定のパラメータの初期値を設定して最良のエラーレートを算出し、当該エラーレートを前記診断履歴情報として保存することを特徴とする請求項１５乃至１９のいずれか１項に記載の情報記録再生方法。
【請求項２１】
前記診断工程は、前記記録媒体の記録再生が不能な個所である欠陥個所を検出する欠陥検出工程を備え、検出された欠陥個所を前記診断履歴情報として保存することを特徴とする請求項１５乃至２０のいずれか１項に記載の情報記録再生方法。
【請求項２２】
前記診断工程は、前記記録媒体の反り量を検出するチルト検出工程を備え、検出されたチルト量を前記診断履歴情報として保存することを特徴とする請求項１５乃至２１のいずれか１項に記載の情報記録再生方法。
【請求項２３】
前記予測工程は、前記診断工程により得られた診断履歴情報に基づいて前記記録パワーマージンの経時変化量を少なくとも一次曲線で近似曲線化し、前記記録媒体の特性が前記所定レベルに達する時期を算出する算出工程を備えることを特徴とする請求項１８乃至２２のいずれか１項に記載の情報記録再生方法。
【請求項２４】
前記表示工程は、前記診断工程により得られた診断履歴情報に基づいて前記記録媒体の特性の経時相対変化量を表示することを特徴とする請求項１５乃至２３のいずれか１項に記載の情報記録再生方法。
【請求項２５】
前記表示工程は、前記診断工程により得られた診断履歴情報に基づいて前記記録媒体の特性を所定基準レベルと比較して表示することを特徴とする請求項１５乃至２４のいずれか１項に記載の情報記録再生方法。
【請求項２６】
前記診断工程は、通常の運用時に得られる前記記録媒体の特性を診断履歴情報として保存すると共に、操作スイッチ、タッチパネル、音声認識、及びポインティングデバイスによる指示又はそれらの組み合わせにより診断動作を開始することを特徴とする請求項１５乃至２５のいずれか１項に記載の情報記録再生方法。
【請求項２７】
前記記録媒体が有する固有識別番号を検出する固有識別番号検出工程と、当該固有識別番号を有していない記録媒体に対して新たな固有識別番号を生成する生成工程と、前記生成された固有識別番号を前記記録媒体に記録する記録工程とを備えることを特徴とする請求項１５乃至２６のいずれか１項に記載の情報記録再生方法。
【請求項２８】
記録媒体への情報の記録及び前記記録媒体に記録された情報の再生の少なくとも１つを行う記録再生工程を備える情報記録再生方法において、
前記記録再生工程は、前記記録媒体の固有識別番号と前記情報記録再生装置の固有識別番号との組み合わせに基づいて前記記録媒体の特性を診断する診断工程と、
前記診断工程により得られた記録媒体の特性を診断履歴情報として当該記録媒体に記録する記録工程と、
前記診断履歴情報に基づいて前記記録媒体の特性が所定レベルに達する時期を予測する予測工程と、
前記診断履歴情報及び前記予測された時期を含む所定の情報を表示する表示工程とを備えることを特徴とする情報記録再生方法。
【請求項２９】
記録媒体への情報の記録及び前記記録媒体に記録された情報の再生の少なくとも１つを行う記録再生ステップを備える情報記録再生方法を情報記録再生装置に実行させるプログラムにおいて、
前記プログラムは、前記情報の記録及び前記情報の再生の少なくとも１つを行うときに前記記録媒体の特性を診断する診断ステップと、
前記診断工程にて得られた記録媒体の特性を診断履歴情報として保存する保存ステップと、
前記診断履歴情報に基づいて前記記録媒体の特性が所定レベルに達する時期を予測する予測ステップと、
前記診断履歴情報及び前記予測された時期を含む所定の情報を表示する表示ステップとを備えることを特徴とするプログラム。
【請求項３０】
記録媒体への情報の記録及び前記記録媒体に記録された情報の再生の少なくとも１つを行う記録再生ステップを備える情報記録再生方法を情報記録再生装置に実行させるプログラムにおいて、
前記プログラムは、前記記録媒体の固有識別番号と前記記録再生ステップを実行する装置の固有識別番号との組み合わせに基づいて前記記録媒体の特性を診断する診断ステップと、
前記診断ステップにて得られた記録媒体の特性を診断履歴情報として当該記録媒体に記録する記録ステップと、
前記診断履歴情報に基づいて前記記録媒体の特性が所定レベルに達する時期を予測する予測ステップと、
前記診断履歴情報及び前記予測された時期を含む所定の情報を表示する表示ステップとを備えることを特徴とするプログラム。
【発明の詳細な説明】
【０００１】
【発明の属する技術分野】
本発明は、情報記録再生装置及び方法、並びにプログラムに関し、特に、ディスク状記録媒体を利用して情報の書き換え、読み出しが可能な情報記録再生装置及び方法、並びにプログラムに関する。
【０００２】
【従来の技術】
近年、情報の書き換え、読み出しが可能なディスク状記録媒体の高密度化、大容量化が急速に進展している。このようなディスク状記録媒体は、コンピュータとの親和性に優れ、マルチメディア社会の中核を担う基盤メディアとしてさらなる発展が期待されている。ディスク状記録媒体が取り扱う信号は多岐に渡り、多チャンネル音声信号はもちろんのこと、多画素、高品位な静止画像や高精細動画像を多量に記憶することが可能である。そして、可搬容易性、取扱容易性、少スペース性、及び検索即応性といった大幅なる機能向上を果たしたディスク状記録媒体の情報記録再生装置が提案されている。
【０００３】
従来、ディスク状記録媒体の記録再生装置は、記録再生の信頼性を高めるために、当該媒体への記録或いは当該媒体の再生に先立って試行記録（テスト記録）又は試行再生（テスト再生）を行い、記録や再生の諸条件が最良になるように各種パラメータを最適に設定し、しかる後に実際の記録又は再生を行うアルゴリズムを有している。
【０００４】
ここで、試行記録時又は試行再生時には、記録・再生による復号時のエラー発生数を最小にすることを目的として上述の各種パラメータを最適化する。そして、ディスク状記録媒体に何らかの不具合が起きてしまい、記録・再生の品位を一定レベル以上に保てない事態が発生すると、当該ディスク状記録媒体を装置から排出し、同時に“記録不能“もしくは”再生不能”といった異常発生メッセージをユーザに通知するようになっていた。
【０００５】
【発明が解決しようとする課題】
しかしながら、上記従来の情報記録再生装置では、当該装置及びディスク状記録媒体の少なくとも一方で何らかの不具合が発生した場合は、異常発生メッセージが突然通知されると共に、ディスク状記録媒体への情報の読み書きが禁止される事態に陥る可能性がある。換言すれば、ユーザ側にとって貴重な情報記録の機会を不意に逸するという問題だけでなく、これまで記録した貴重な情報が再生不能といった障害に予告無く直面してしまうという危険性も孕んでいる。こうした障害は、装置もしくはディスク状記録媒体に不具合が発生して初めて、ユーザがそれらの対処を取らざるを得ないのが実情である。
【０００６】
また、こうしたディスク状記録媒体の品質は、市場規模の拡大に伴ってメーカー間の特性の違いや絶え間ない品質改良による製造ロット間での特性個体差により大きく異なる傾向にある。
【０００７】
一方、ユーザ側も、その使途に応じてディスク状記録媒体に求める品質が多様化している。例えば、記録・再生を繰り返し行ったときの耐久性が高いものを望む場合もあれば、環境温度変化の激しい状況下で使うのに好適なものを望む場合もある。ところが、ユーザが新規にディスク状記録媒体を購入する際、上述のニーズを満足するための尺度を得ることができないのが実情である。
【０００８】
さらに、実際に使用中のディスク状記録媒体に対して記録・再生を何度も繰り返したり、悪条件の場所に放置してしまったりした場合には、ユーザが当該ディスク状記録媒体の特性変化を懸念してもそれを検知する術がない。
【０００９】
図２２は、ディスク状記録媒体の特性変化を模式的に示す図である。
【００１０】
図２２において、縦軸は記録再生のエラーレートを表し、横軸は再生レーザーパワー（ｍＷ）を表している。縦軸のエラーレートは、再生データにおける復号時のエラー発生個数をデータ総数で除算したものであり、数値が少ないほどエラー発生頻度が少なく、記録再生機能の高性能、高信頼性を示すものである。ここで、同図中ａは、あるディスク状記録媒体の使用開始当初の特性例を示す。縦軸のエラーレートにおいて、再生系誤り訂正処理によって復号可能限界となる所定値を設定し、この所定値以下を満たすエラーレートを確保できる再生レーザーパワーの範囲を再生パワーマージンと称している。図中のａにおける再生パワーマージンは、Ｐｒ２〜Ｐｒ１（ｍＷ）の範囲であることを示す。ここで、エラーレートが最下点となるところが、最適再生レーザーパワーとなる。
【００１１】
このａなる特性を有していたディスク状記録媒体が、所定期間の使用によって、特性が図中ｂのような経時変化をしたとする。この場合、再生レーザーパワーがＰｒ０（ｍＷ）時のエラーレートが、使用開始当初の特性例ａと変わらないものの再生パワーマージンが狭化していることがわかる。すなわち、実使用においては、Ｐｒ０なる再生レーザーパワーを適用すれば初期状態ａと同等のエラーレートを有する。しかしながら、再生パワーマージンが狭い為、環境温度の急激な変化などを補正しきれないと、復号時エラー発生という信頼性低下に陥ってしまう。
【００１２】
一方、媒質の特性がａからｃのような経時変化をした場合は、エラーレート、再生パワーマージンが共に悪化し、このまま経時変化が進めば、この媒体を使用し続けることができなくなることを示唆している。
【００１３】
そこで、本発明は、上記問題を解消するために成されたもので、記録媒体のメーカー間や製造ロット間等による個体差に影響されることなく、品質変化を監視して一定レベルの品質維持が可能な有効期限を予測してユーザに通知することができる情報記録再生装置及び方法、並びにプログラムを提供することを目的とする。
【００１４】
【課題を解決するための手段】
上記目的を達成するために、請求項１記載の情報記録再生装置は、記録媒体への情報の記録及び前記記録媒体に記録された情報の再生の少なくとも１つを行う記録再生手段を備える情報記録再生装置において、前記記録再生手段は、前記情報の記録及び前記情報の再生の少なくとも１つを行うときに前記記録媒体の特性を診断する診断手段と、前記診断手段により得られた記録媒体の特性を診断履歴情報として保存するメモリ手段と、前記診断履歴情報に基づいて前記記録媒体の特性が所定レベルに達する時期を予測する予測手段と、前記診断履歴情報及び前記予測された時期を含む所定の情報を表示する表示手段とを備えることを特徴とする。
【００１５】
請求項２記載の情報記録再生装置は、請求項１記載の情報記録再生装置において、前記診断手段は、前記記録媒体の特性の診断を前記記録媒体の温度変化に応じて行うことを特徴とする。
【００１６】
請求項３記載の情報記録再生装置は、請求項１又は２記載の情報記録再生装置において、前記記録再生手段は、ディスク状記録媒体を用いた記録再生動作を行うことを特徴とする。
【００１７】
請求項４記載の情報記録再生装置は、請求項１乃至３のいずれか１項に記載の情報記録再生装置において、前記診断手段は、記録パワーを複数段階切り換えて所定のデータの記録を行い、当該記録されたデータの再生により所定の記録条件を満足する記録パワーマージンを算出し、当該記録パワーマージンを前記診断履歴情報として保存することを特徴とする。
【００１８】
請求項５記載の情報記録再生装置は、請求項１乃至４のいずれか１項に記載の情報記録再生装置において、前記診断手段は、再生パワーを複数段階切り換えて所定のデータの再生を行い、当該記録されたデータの再生により所定の再生条件を満足する再生パワーマージンを算出し、当該再生パワーマージンを前記診断履歴情報として保存することを特徴とする。
【００１９】
請求項６記載の情報記録再生装置は、請求項１乃至５のいずれか１項に記載の情報記録再生装置において、前記診断手段は、前記記録又は前記再生に関する所定のパラメータの初期値を設定して最良のエラーレートを算出し、当該エラーレートを前記診断履歴情報として保存することを特徴とする。
【００２０】
請求項７記載の情報記録再生装置は、請求項１乃至６のいずれか１項に記載の情報記録再生装置において、前記診断手段は、前記記録媒体の記録再生が不能な個所である欠陥個所を検出する欠陥検出手段を備え、検出された欠陥個所を前記診断履歴情報として保存することを特徴とする。
【００２１】
請求項８記載の情報記録再生装置は、請求項１乃至７のいずれか１項に記載の情報記録再生装置において、前記診断手段は、前記記録媒体の反り量を検出するチルト検出手段を備え、検出されたチルト量を前記診断履歴情報として保存することを特徴とする。
【００２２】
請求項９記載の情報記録再生装置は、請求項４乃至８のいずれか１項に記載の情報記録再生装置において、前記予測手段は、前記診断手段により得られた診断履歴情報に基づいて前記記録パワーマージンの経時変化量を少なくとも一次曲線で近似曲線化し、前記記録媒体の特性が前記所定レベルに達する時期を算出する算出手段を備えることを特徴とする。
【００２３】
請求項１０記載の情報記録再生装置は、請求項１乃至９のいずれか１項に記載の情報記録再生装置において、前記表示手段は、前記診断手段により得られた診断履歴情報に基づいて前記記録媒体の特性の経時相対変化量を表示することを特徴とする。
【００２４】
請求項１１記載の情報記録再生装置は、請求項１乃至１０のいずれか１項に記載の情報記録再生装置において、前記表示手段は、前記診断手段により得られた診断履歴情報に基づいて前記記録媒体の特性を所定基準レベルと比較して表示することを特徴とする。
【００２５】
請求項１２記載の情報記録再生装置は、請求項１乃至１１のいずれか１項に記載の情報記録再生装置において、前記診断手段は、通常の運用時に得られる前記記録媒体の特性を診断履歴情報として保存すると共に、操作スイッチ、タッチパネル、音声認識、及びポインティングデバイスによる指示又はそれらの組み合わせにより診断動作を開始することを特徴とする。
【００２６】
請求項１３記載の情報記録再生装置は、請求項１乃至１２のいずれか１項に記載の情報記録再生装置において、前記記録媒体が有する固有識別番号を検出する固有識別番号検出手段と、当該固有識別番号を有していない記録媒体に対して新たな固有識別番号を生成する生成手段と、前記生成された固有識別番号を前記記録媒体に記録する記録手段とを備えることを特徴とする。
【００２７】
上記目的を達成するために、請求項１４記載の情報記録再生装置は、記録媒体への情報の記録及び前記記録媒体に記録された情報の再生の少なくとも１つを行う記録再生手段を備える情報記録再生装置において、前記記録再生手段は、前記記録媒体の固有識別番号と前記情報記録再生装置の固有識別番号との組み合わせに基づいて前記記録媒体の特性を診断する診断手段と、前記診断手段により得られた記録媒体の特性を診断履歴情報として当該記録媒体に記録する記録手段と、前記診断履歴情報に基づいて前記記録媒体の特性が所定レベルに達する時期を予測する予測手段と、前記診断履歴情報及び前記予測された時期を含む所定の情報を表示する表示手段とを備えることを特徴とする。
【００２８】
上記目的を達成するために、請求項１５記載の情報記録再生方法は、記録媒体への情報の記録及び前記記録媒体に記録された情報の再生の少なくとも１つを行う記録再生工程を備える情報記録再生方法において、前記情報の記録及び前記情報の再生の少なくとも１つを行うときに前記記録媒体の特性を診断する診断工程と、前記診断工程にて得られた記録媒体の特性を診断履歴情報として保存するメモリ工程と、前記診断履歴情報に基づいて前記記録媒体の特性が所定レベルに達する時期を予測する予測工程と、前記診断履歴情報及び前記予測された時期を含む情報を表示する表示工程とを備えることを特徴とする。
【００２９】
請求項１６記載の情報記録再生方法は、請求項１５記載の情報記録再生方法において、前記診断工程は、前記記録媒体の特性の診断を前記記録媒体の温度変化に応じて行うことを特徴とする。
【００３０】
請求項１７記載の情報記録再生方法は、請求項１５又は１６記載の情報記録再生方法において、前記記録再生工程は、ディスク状記録媒体を用いた記録再生動作を行うことを特徴とする。
【００３１】
請求項１８記載の情報記録再生方法は、請求項１５乃至１７のいずれか１項に記載の情報記録再生方法において、前記診断工程は、記録パワーを複数段階切り換えて所定のデータの記録を行い、当該記録されたデータの再生により所定の記録条件を満足する記録パワーマージンを算出し、当該記録パワーマージンを前記診断履歴情報として保存することを特徴とする。
【００３２】
請求項１９記載の情報記録再生方法は、請求項１５乃至１８のいずれか１項に記載の情報記録再生方法において、前記診断工程は、再生パワーを複数段階切り換えて所定のデータの再生を行い、当該記録されたデータの再生により所定の再生条件を満足する再生パワーマージンを算出し、当該再生パワーマージンを前記診断履歴情報として保存することを特徴とする。
【００３３】
請求項２０記載の情報記録再生方法は、請求項１５乃至１９のいずれか１項に記載の情報記録再生方法において、前記診断工程は、前記記録又は前記再生に関する所定のパラメータの初期値を設定して最良のエラーレートを算出し、当該エラーレートを前記診断履歴情報として保存することを特徴とする。
【００３４】
請求項２１記載の情報記録再生方法は、請求項１５乃至２０のいずれか１項に記載の情報記録再生方法において、前記診断工程は、前記記録媒体の記録再生が不能な個所である欠陥個所を検出する欠陥検出工程を備え、検出された欠陥個所を前記診断履歴情報として保存することを特徴とする。
【００３５】
請求項２２記載の情報記録再生方法は、請求項１５乃至２１のいずれか１項に記載の情報記録再生方法において、前記診断工程は、前記記録媒体の反り量を検出するチルト検出工程を備え、検出されたチルト量を前記診断履歴情報として保存することを特徴とする。
【００３６】
請求項２３記載の情報記録再生方法は、請求項１８乃至２２のいずれか１項に記載の情報記録再生方法において、前記予測工程は、前記診断工程により得られた診断履歴情報に基づいて前記記録パワーマージンの経時変化量を少なくとも一次曲線で近似曲線化し、前記記録媒体の特性が前記所定レベルに達する時期を算出する算出工程を備えることを特徴とする。
【００３７】
請求項２４記載の情報記録再生方法は、請求項１５乃至２３のいずれか１項に記載の情報記録再生方法において、前記表示工程は、前記診断工程により得られた診断履歴情報に基づいて前記記録媒体の特性の経時相対変化量を表示することを特徴とする。
【００３８】
請求項２５記載の情報記録再生方法は、請求項１５乃至２４のいずれか１項に記載の情報記録再生方法において、前記表示工程は、前記診断工程により得られた診断履歴情報に基づいて前記記録媒体の特性を所定基準レベルと比較して表示することを特徴とする。
【００３９】
請求項２６記載の情報記録再生方法は、請求項１５乃至２５のいずれか１項に記載の情報記録再生方法において、前記診断工程は、通常の運用時に得られる前記記録媒体の特性を診断履歴情報として保存すると共に、操作スイッチ、タッチパネル、音声認識、及びポインティングデバイスによる指示又はそれらの組み合わせにより診断動作を開始することを特徴とする。
【００４０】
請求項２７記載の情報記録再生方法は、請求項１５乃至２６のいずれか１項に記載の情報記録再生方法において、前記記録媒体が有する固有識別番号を検出する固有識別番号検出工程と、当該固有識別番号を有していない記録媒体に対して新たな固有識別番号を生成する生成工程と、前記生成された固有識別番号を前記記録媒体に記録する記録工程とを備えることを特徴とする。
【００４１】
上記目的を達成するために、請求項２８記載の情報記録再生方法は、記録媒体への情報の記録及び前記記録媒体に記録された情報の再生の少なくとも１つを行う記録再生工程を備える情報記録再生方法において、前記記録再生工程は、前記記録媒体の固有識別番号と前記情報記録再生装置の固有識別番号との組み合わせに基づいて前記記録媒体の特性を診断する診断工程と、前記診断工程により得られた記録媒体の特性を診断履歴情報として当該記録媒体に記録する記録工程と、前記診断履歴情報に基づいて前記記録媒体の特性が所定レベルに達する時期を予測する予測工程と、前記診断履歴情報及び前記予測された時期を含む所定の情報を表示する表示工程とを備えることを特徴とする。
【００４２】
上記目的を達成するために、請求項２９記載のプログラムは、記録媒体への情報の記録及び前記記録媒体に記録された情報の再生の少なくとも１つを行う記録再生ステップを備える情報記録再生方法を情報記録再生装置に実行させるプログラムにおいて、前記プログラムは、前記情報の記録及び前記情報の再生の少なくとも１つを行うときに前記記録媒体の特性を診断する診断ステップと、前記診断工程にて得られた記録媒体の特性を診断履歴情報として保存する保存ステップと、前記診断履歴情報に基づいて前記記録媒体の特性が所定レベルに達する時期を予測する予測ステップと、前記診断履歴情報及び前記予測された時期を含む所定の情報を表示する表示ステップとを備えることを特徴とする。
【００４３】
上記目的を達成するために、請求項３０記載のプログラムは、記録媒体への情報の記録及び前記記録媒体に記録された情報の再生の少なくとも１つを行う記録再生ステップを備える情報記録再生方法を情報記録再生装置に実行させるプログラムにおいて、前記プログラムは、前記記録媒体の固有識別番号と前記記録再生ステップを実行する装置の固有識別番号との組み合わせに基づいて前記記録媒体の特性を診断する診断ステップと、前記診断ステップにて得られた記録媒体の特性を診断履歴情報として当該記録媒体に記録する記録ステップと、前記診断履歴情報に基づいて前記記録媒体の特性が所定レベルに達する時期を予測する予測ステップと、前記診断履歴情報及び前記予測された時期を含む所定の情報を表示する表示ステップとを備えることを特徴とする。
【００４４】
【本発明の実施の形態】
以下、本発明の実施の形態を図面を参照して詳細に説明する。
【００４５】
（第１の実施の形態）
図１は、本発明の第１の実施の形態に係る情報記録再生装置の全体構成を示すブロック図である。
【００４６】
＜記録再生装置２００の全体構成及び一連の動作＞
本発明の第１の実施の形態に係る情報記録再生装置は、図１に示す記録再生装置２００から成る。記録再生装置２００は、ディスク状記録媒体２０１（以下、単に「ディスク」という。）と、光ピックアップ２０２と、スピンドルモータ（ＳＭ）２０３と、トラバースモータ（ＴＭ）２０４と、サーボＤＳＰ（Ｄｉｇｉｔａｌ　Ｓｉｇｎａｌ　Ｐｒｏｃｅｓｓｏｒ）２０５と、磁気ヘッド２０６と、記録処理部２０７と、再生処理部２０８と、診断処理部２０９と、表示部２１０と、ディスクＩＤ検出部２１１と、システムコントローラ２１２と、メモリ２１３と、ＧＵＩ（Ｇｒａｐｈｉｃａｌ　Ｕｓｅｒ　Ｉｎｔｅｒｆａｃｅ）２１４とによって構成される。
【００４７】
上述した記録再生装置２００において、まず、メモリ２１３は、不図示のデータバスを介して機能ブロック毎にタイム・シェアリングして使用されるメモリ空間であり、不揮発性ＲＡＭ（Ｒａｎｄｏｍ　Ａｃｃｅｓｓ　Ｍｅｍｏｒｙ）機能を備えるメモリ群から成る。また、メモリ２１３は、システムコントローラ２１２により制御及び管理される。
【００４８】
システムコントローラ２１２は、ＧＵＩ２１４を介してユーザ指定コマンドを受信したり、所定のプログラムを実行することにより、記録再生装置２００全体を統括制御する。ＧＵＩ２１４は、ユーザと記録再生装置２００とのインタフェースであり、ユーザからのキー操作等に基づいてシステムコントローラ２１２にユーザ指定コマンドを指示する機能を有する。
【００４９】
光ピックアップ２０２は、不図示の光学カップリング群、レーザーダイオード、アクチュエータ、及び受光素子等から成り、ディスク２０１へのレーザ光照射や情報検出を行う。この情報検出は、ディスク２０１からの反射光量差を検出し、再生電気信号を取得することにより行われる。
【００５０】
サーボＤＳＰ２０５は、ディスク２０１の駆動全般をコントロールするプロセッサであり、トラバースモータ２０４（ＴＭ）を駆動制御することによって、光ピックアップ２０２や磁気ヘッド２０６がディスク２０１の所定アドレス上に位置するように制御を行う。また、光ピックアップ２０２内のアクチュエータを制御することによって、フォーカス制御及びラッキング制御を行う。また、スピンドルモータ２０３（ＳＭ）によって、ディスク２０１が所定の回転数で回転するように駆動制御を行う。
【００５１】
再生処理部２０８は、光ピックアップ２０２より得られた再生信号をマトリックス演算し、所定信号振幅に増幅した後、ディジタル化して再生ＰＬＬ（Ｐｈａｓｅ　Ｌｏｃｋｅｄ　Ｌｏｏｐ）によるクロック成分抽出、波形等化、及び復号処理といった一連の再生処理動作を行う。ディスクＩＤ検出部２１１は、ディスク２０１の固有の管理番号（以下、「ディスクＩＤ」という。）を読み取って、システムコントローラ２１２にディスクＩＤ情報として送信する。記録処理部２０７は、ディスク２０１に記録するデータを記録フォーマットに準ずるように、ブロック化、同期信号付加、パリティ付加、及び変調等の一連の記録処理を行い、磁気ヘッド２０６によって、ディスク２０１に磁界変調記録を行う。
【００５２】
診断処理部２０９は、再生処理部２０８より得られる再生信号及びシステムコントローラ２１２より得られる信号に基づいて、再生信号の特性を診断する機能を有する。表示部２１０は、ＧＵＩ２１４と連動しており、記録再生装置２００の各種情報のモニタリング、ユーザ指定コマンドのエントリー、及び再生映像モニタリング等の機能を有する。
【００５３】
＜診断処理部２０９の具体的構成及び一連の動作＞
図２は、図１における診断処理部２０９の内部構成を示すブロック図である。
【００５４】
図２において、診断処理部２０９は、後述する記録パワー診断処理１０１、再生パワー診断処理１０２、欠陥処理１０３、チルト診断処理１０４、診断履歴管理１０５、特性変化予測１０６、及び表示情報生成１０７を含む処理機能を有する。診断処理部２０９の各処理機能の動作を説明する。
【００５５】
＜記録パワー診断処理１０１の動作＞
図３、図４、及び図５を参照して記録パワー診断処理１０１の動作を説明する。
【００５６】
図３は、図２における記録パワー診断処理１０１の動作処理を示すフローチャートである。
【００５７】
ステップＳ８０１：ユーザ領域への記録可否判定
記録パワー診断にあたり、ディスク２０１上のユーザ領域への記録可否を判定する。ユーザ領域への記録が許可されているときは（ステップＳ８０１でＹＥＳ）、ステップＳ８０２へ進み、目標アドレスにシークしてユーザ領域に試行録再を実施する。一方、ユーザ領域への記録が禁止されているときは（ステップＳ８０１でＮＯ）、ディスク２０１上の所定位置（例えば、最内周もしくは最外周の一部）に設けられているテスト領域にシークして試行録再を実施する。
【００５８】
ステップＳ８０２、Ｓ８０３：目標アドレスにシーク、テスト領域にシーク
診断を実施するディスク位置にシークする。
【００５９】
ステップＳ８０４：初期値設定
記録レーザーパワー、再生レーザーパワー、及びフォーカスオフセットやトラッキングオフセットといったサーボ系パラメータの初期値を設定する。初期値の設定には、予めディスク２０１に記録されたディスク管理情報に含まれている推奨値に所定の比率を与えて算出する方法を用いてもよく、実際に試行録再を行って最適値を求める方法を用いてもよい。
【００６０】
ステップＳ８０５：記録パワーを段階的に切り換えてディスクに記録
図４は、図３のステップＳ８０５における記録パワーの段階的切り換えを示す図であり、（ａ）は記録データ量の特性図、（ｂ）はディスクへの記録方法を示す図である。
【００６１】
図４（ａ）において、横軸は記録時間ｔを表し、縦軸は記録パワーを表している。同図に示すように、最低記録パワーＰＷ１から最高記録パワーＰＷ９まで９段階に記録パワーを切り換えて所定のデータをディスク２０１に記録する。各記録パワーにより記録する期間ｔは、エラーレートを計測するために十分な期間とする。
【００６２】
ディスク２０１へのデータの記録に際しては、実際の使用状況に出来るだけ近い条件を再現する為、図４（ｂ）に示すように、ディスク２０１上の中央トラックＮ、中央トラックＮの内周側に隣接する隣接トラックＮ−１、及び中央トラックＮの外周側に隣接する隣接トラックＮ＋１の順に３トラック分を記録する。こうすることで、中央トラックＮに対して、隣接トラックＮ−１とＮ＋１からのクロスライトの影響を踏まえた試行録再データを得ることができる。
【００６３】
ステップＳ８０６：試行記録データを再生
ステップＳ８０５で記録されたデータにおいて、３トラック分記録したうちの中央トラックＮについてステップＳ８０４で設定された再生パワーで再生する。
【００６４】
ステップＳ８０７：記録パワー診断
記録パワー診断動作による特性の変化を図５（ａ）に示す。図５（ａ）は、図３のステップＳ８０６までに得られた記録パワーの依存特性であり、縦軸はビットエラーレートを表し、横軸は記録レーザーパワーを表している。縦軸のＢ１は、記録レーザーパワーの最適値：Ｚ１におけるエラーレート最良点である。また、縦軸のＡ１は、記録再生のエラー訂正処理によって十分に訂正可能なエラーレート所定値である。このエラーレート所定値Ａ１を得ることができる記録パワーの上限値をＸ１、下限値をＹ１とすると、記録パワーマージン（ＷＲＩＴＥ　ＰＯＷＥＲ　ＭＡＲＧＩＮ）は、
ＷＲＩＴＥ　ＰＯＷＥＲ　ＭＡＲＧＩＮ＝（Ｘ１−Ｙ１）×１００／Ｚ１（％）となる。
【００６５】
記録パワー診断処理１０１では、上記動作フローから得られた最適記録パワーＺ１、最良エラーレートＢ１、及び記録パワーマージン（ＷＲＩＴＥ　ＰＯＷＥＲ　ＭＡＲＧＩＮ）を診断履歴管理１０５へ出力する。
【００６６】
＜再生パワー診断処理１０２の動作＞
上記図５（ｂ）及び図６を用いて再生パワー診断処理１０２の動作を説明する。
【００６７】
図６は、図２における再生パワー診断処理１０２の動作処理を示すフローチャートである。
【００６８】
ステップＳ９０１：目標アドレスにシーク
診断を実施するディスク位置（目標アドレス）にシークする。
【００６９】
ステップＳ９０２：記録再生パラメータの初期値設定
記録レーザーパワー、再生レーザーパワー、及びフォーカスオフセットやトラッキングオフセットといったサーボ系パラメータの初期値を設定する。初期値の設定には、予めディスク管理情報に記録されている推奨値に所定の比率を与えて算出する方法を用いてもよく、実際に試行録再を行う方法を用いてもよい。
【００７０】
ステップＳ９０３：ユーザデータで診断判定（診断対象データの選択）
再生パワー診断にあたり、ディスク上のユーザ領域に既記録済みのユーザデータがあるときは、これを用いて診断する。すなわち、ディスク２０１上のユーザ領域に既記録済みのユーザデータがあるか否かを判定し、既記録済みのユーザデータがあるときは（ステップＳ９０３でＹＥＳ）、ステップＳ９０５ヘ進む一方、既記録済みのユーザデータが無いときは（ステップＳ９０３でＮＯ）、ステップＳ９０４へ進み、所定の記録データを記録試行する。
【００７１】
ステップＳ９０４：最適記録パワーでディスクに記録
ステップＳ９０３において、ユーザ領域に既記録済みのユーザデータが無いときは、ステップＳ９０２で設定された記録パワーで所定の記録データを記録する。この際、上記記録パワー診断で詳述したとおり３トラック記録を行い、中央トラックＮを着目する。
【００７２】
ステップＳ９０５：再生パワーを段階的に切り換えてディスクを再生
ユーザ領域に既記録済みのユーザデータがあるときは、当該ユーザデータについて再生パワーを複数段階切り換えて再生試行する。既記録済みのユーザデータが無いときは、ステップＳ９０４で記録された記録データを用い、当該記録データにおける中央トラックＮについて再生パワーを複数段階切り換えて再生試行する。
【００７３】
ステップＳ９０６：再生パワー診断
再生パワー診断動作による特性の変化を図５（ｂ）に示す。図５（ｂ）は、図６のステップＳ９０５までに得られた再生パワーの依存特性であり、縦軸はビットエラーレートを表し、横軸は再生レーザーパワーを表している。縦軸のＢ２は、再生レーザーパワーの最適値：Ｚ２におけるエラーレート最良点である。また、縦軸のＡ２は、記録再生のエラー訂正処理によって十分に訂正可能なエラーレート所定値である。このエラーレート所定値Ａ２を得ることができる再生パワーの上限値をＸ２、下限値をＹ２とすると、再生パワーマージン（ＲＥＡＤ　ＰＯＷＥＲ　ＭＡＲＧＩＮ）は、
ＲＥＡＤ　ＰＯＷＥＲ　ＭＡＲＧＩＮ＝（Ｘ２−Ｙ２）×１００／Ｚ２（％）となる。
【００７４】
再生パワー診断処理１０２では、上記動作フローから得られた最適再生パワーＺ２、最良エラーレートＢ２、及び再生パワーマージン（ＲＥＡＤ　ＰＯＷＥＲ　ＭＡＲＧＩＮ）を診断履歴管理１０５へ出力する。
【００７５】
＜欠陥診断１０３の具体的構成及び動作＞
図７、図８を用いて欠陥診断１０３の動作を説明する。
【００７６】
図７は、図２における欠陥診断１０３の動作処理を示すフローチャートである。
【００７７】
ステップＳ１１０１：目標アドレスにシーク
診断を実施するディスク位置（目標アドレス）にシークする。
【００７８】
ステップＳ１１０２：欠陥検出
図８は、図７のステップＳ１１０２の欠陥検出による動作を示す図であり、（ａ）は機能ブロック図、（ｂ）は動作図である。
【００７９】
図８（ａ）において、欠陥検出部は、ピークホールド４０１と、オフセット設定４０２と、比較手段４０３と、アドレス管理４０４とで構成されている。図８（ｂ）において、縦軸は光量ゼロを基準レベルにしたときの反射光量を表し、横軸は入力信号の時間推移を表している。図８（ａ）及び図８（ｂ）を用いて動作説明を行う。
【００８０】
図８（ａ）及び図８（ｂ）において、入力信号▲１▼は光ピックアップ２０２からの反射光量を表す受光素子出力の和信号であり、ディスク２０１上に何らかの欠陥がある場合、当該個所において反射光量が低下する。入力信号▲１▼に対して、これをピークホールド４０１で最大値ホールドし、所定のオフセット量δを与えて比較レベル▲２▼を設定する。比較手段４０３では、入力信号▲１▼と比較レベル▲２▼とを比較し、入力信号▲１▼が比較レベル▲２▼を下回ったとき、欠陥検知信号▲３▼を出力する。アドレス管理４０４は、欠陥検知信号▲３▼を検出したディスク２０１上のアドレス情報を取得する。また、欠陥総数を取得する。
【００８１】
ステップＳ１１０３：欠陥診断出力
ステップＳ１１０２で得られた欠陥個所のアドレス情報及び欠陥総数を診断履歴管理１０５へ出力した後、本処理を終了する。
【００８２】
以上説明したように、ディスク２０１上の欠陥については、情報記録の有無に関わらず検出可能である。通常は、ディスク２０１に記録されたディスク管理情報に欠陥個所のアドレス情報が含まれているので、これらを参照の上欠陥診断を効率的に行う。
【００８３】
＜チルト診断１０４の具体的構成及び動作＞
図９、図１０を用いてチルト診断１０４の動作を説明する。
【００８４】
図９は、図２におけるチルト診断１０４の動作処理を示すフローチャートである。
【００８５】
ステップＳ１００１：目標アドレスにシーク
診断を実施するディスク位置（目標アドレス）にシークする。
【００８６】
ステップＳ１００３：チルト検出
図１０は、ディスク反射光量を監視するチルト検出部の構成を示す構成図である。
【００８７】
図１０において、チルト検出部は、光ピックアップ５０１と、レーザーダイオード５０２と、受光素子５０３ａ、５０３ｂと、Ｉ／Ｖ変換器５０４ａ、５０４ｂと、差分検出器５０５と、ディスク５０６ａ（ディスク５０６ｂ）とで構成されている。図１０を用いて動作説明を行う。
【００８８】
図１０において、光ピックアップ５０１上のレーザーダイオード５０２よりディスク５０６ａ面上に光が照射され、その反射光が受光素子５０３ａ、５０３ｂに入射される。受光素子５０３ａ、５０３ｂは入射光量を光電流に変換する。Ｉ／Ｖ変換器５０４ａ、５０４ｂは入力された光電流を電圧信号に変換する。差分検出器５０５は、受光素子５０３ａ、５０３ｂの出力差を差分演算する。
【００８９】
ディスク５０６ａに反りが無い場合、すなわち対物レンズの光軸とディスク面とが垂直である場合は、光路経路は５０７ａをたどり、ディスク５０６ａからの反射光は受光素子５０３ａ、５０３ｂに均等に入射される。したがって、差分検出器５０５の出力値はゼロとなる。
【００９０】
一方、ディスク５０６ａに反りがある場合（ディスク５０６ｂ）、すなわち対物レンズの光軸とディスク面とが傾いている場合は、光路経路は、例えば５０７ｂをたどり、ディスク５０６ｂからの反射光は受光素子５０３ａ、５０３ｂに不均等に入射される。したがって、差分検出器５０５によって、ディスクの反りの方向並びに反り量に比例した信号成分を得ることができる。これにより、チルトの方向と量とが得られる。
【００９１】
ステップＳ１００３：チルト診断出力
ステップＳ１００２で得られたチルトの方向と量とを、ディスク２０１上の該当アドレス情報と共に診断履歴管理１０５へ出力した後、本処理を終了する。
【００９２】
＜診断履歴管理１０５の具体的構成＞
図１１は、図２における診断履歴管理１０５の具体的な構成を示す図である。
【００９３】
図１１において、診断履歴管理１０５には、ディスクＩＤ別に、ディスク２０１の診断履歴情報が保存される。診断項目としては、反り（Ｔｉｌｔ）、欠陥（Ｄｅｆｅｃｔ）、エラーレート（Ｅｒｒｏｒ　Ｒａｔｅ）、記録パワーマージン（Ｗｒｉｔｅ　Ｐｏｗｅｒ　Ｍａｒｇｉｎ）、及び再生パワーマージン（Ｒｅａｄ　Ｐｏｗｅｒ　Ｍａｒｇｉｎ）がある。各診断項目における診断結果が、診断日時（Ｄａｔｅ１、Ｄａｔｅ２、・・・、ＤａｔｅＮ）、ディスクアドレスと共に診断履歴情報として保存される。
【００９４】
＜特性変化予測１０６の動作＞
図１２、図１３を用いて特性変化予測１０６の動作を説明する。
【００９５】
図１２は、図２における特性変化予測１０６の動作を示す図であり、（ａ）は記録パワーマージンの診断履歴情報に基づく将来の媒体特性変化予測を示し、（ｂ）は欠陥診断の履歴情報に基づく将来の媒体特性変化予測を示す。
【００９６】
図１２（ａ）において、記録パワーマージンは、時刻ｔ０時にＭ２（％）なる値を備えていたが、経時変化によって時刻ｔ１以降低下し続けている。そこで、ディスク２０１の実使用における必要最低限度の記録パワーマージンをＭ１（％）とし、記録パワーマージンＭ２からＭ１に至るまでの経時変化量を、例えば一次曲線（一次関数）で近似する。そして、記録パワーマージンの最低限度Ｍ１に到達する時刻ｔ２を予測結果として出力する。なお、記録パワーマージンの経時変化量は、少なくとも一次曲線以上で近似曲線化してもよい。
【００９７】
図１２（ｂ）において、ディスク２０１上に欠陥がある場合、当該個所は極端にエラーレートが悪化するので、記録再生の実使用に耐えない。しかしながら、こうした欠陥は、時間経過と共に徐々に変化するものではなく、外部からの衝撃等がなければ将来に渡っても現状値を維持し続けるものである。図１２（ｂ）では、使用当初の時刻ｔ３において、Ｄ１（％）なる値の欠陥があったが、時刻ｔ４に至るまでに何らかの衝撃を受けてＤ２（％）なる値まで増加した。しかし、時刻ｔ５に至ってもなおＤ２（％）を維持している。このように、欠陥に関しては、過去の履歴に基づく現状値をそのままユーザに通知するように対処する。
【００９８】
図１３は、図２における特性変化予測１０６の動作処理を示すフローチャートである。
【００９９】
ステップＳ１５０１：診断履歴情報抽出
診断履歴管理１０５より診断項目別に診断履歴情報を抽出する。
【０１００】
ステップＳ１５０２：基準値判定
ステップＳ１５０１で抽出された診断履歴情報より最新の診断結果がディスク２０１の記録再生の基本特性を維持するのに必要最低限のレベル（所定レベル）をクリアしているか否かを判定する。この結果、必要最低限のレベルをクリアしている、すなわちディスク２０１が記録再生できるレベルにあると判断されたときは（ステップＳ１５０２でＹＥＳ）、ステップＳ１５０３へ進む一方、記録再生できるレベルに無いと判断されたときは（ステップＳ１５０１でＮＯ）、ステップＳ１５０７へ進み、ユーザに警告表示を行って（ステップＳ１５０７）、本処理を終了する。
【０１０１】
ステップＳ１５０３：経時変化量算出
診断履歴情報より経時変化量、ディスク２０１の特性の経時相対変化量を抽出する。
【０１０２】
ステップＳ１５０４：診断項目判別
診断項目に欠陥があったときは（ステップＳ１５０４でＹＥＳ）、ステップＳ１５０６を経由して最新の欠陥情報をそのまま表示情報生成１０７へ出力する一方、診断項目に欠陥がなかったときは（ステップＳ１５０４でＮＯ）、ステップＳ１５０５へ進む。
【０１０３】
ステップＳ１５０５：基準値オーバー予測
ステップＳ１５０１における診断履歴情報、ステップＳ１５０３におけるディスク２０１の経時相対変化量により基準値をオーバーする臨界値を近似的に予測し、現状の使用頻度に基づいて実使用可能限界時期を表示情報生成１０７へ出力する。なお、上記予測に際しては、当該ディスク２０１を過去の履歴と同等の使用頻度で使うことを前提として計算している。
【０１０４】
＜表示情報生成１０７の動作＞
図１４、図１５を用いて表示情報生成１０７の動作を説明する。
【０１０５】
図１４は、図２の表示情報生成１０７によるレーダーチャートを用いた診断履歴情報を示す図であり、（ａ）は絶対レベルの表示例、（ｂ）は診断履歴情報の経時相対変化量を示す表示例である。
【０１０６】
図１４（ａ）及び図１４（ｂ）では、診断項目として最良エラーレート、レーザーパワーマージン、チルト（反り）、及び欠陥（キズ）の４項目を例示している。図中の矢印は、外側に行くほど特性が良好であることを示し、例えば、最良エラーレート、レーザーパワーマージン、チルト、欠陥が小さいほど矢印外側方向にプロットされる。
【０１０７】
図１４（ａ）では、欠陥、チルトは太線で示す基準レベルに対して同等であり、最良エラーレートは基準値より良好、レーザーパワーマージンは基準値以下というように診断結果の可否を基準レベルと比較することができる。
【０１０８】
図１４（ｂ）では、使用開始当初の診断結果が太線で示され、それに対する現在の診断結果をプロットしたものである。この例では、最良エラーレート、チルト、レーザーパワーマージンは、使用開始当初と変わらない特性を有しているが、欠陥が増えていることが確認できる。このように視覚的にわかりやすいチャートを駆使する表示手法はもちろんのこと、得点のように数字で表示することも可能である。
【０１０９】
図１５は、図２の表示情報生成１０７による特性変化予測結果の表示情報生成例を示す図である。この例では、診断項目それぞれに対して、初期状態からの経時相対変化量を表示し、劣化が発生した項目を全て勘案してディスク媒体トータルの使用限度を予測表示するものである。
【０１１０】
＜記録再生装置２００の一連の診断動作＞
診断処理部２０９の具体的な構成ならびに一連の動作を詳述したが、ここで診断処理部２０９の動作を踏まえた記録再生装置２００の一連の診断動作について、図１６に示すフローチャートを用いて説明する。
【０１１１】
図１６は、図１の記録再生装置２００の診断動作処理を示すフローチャートである。
【０１１２】
ステップＳ７０１、Ｓ７０２：ディスクＩＤ検出
ディスク２０１に予め記録されているディスク管理情報等よりディスク２０１固有のディスクＩＤを検出する（ステップＳ７０１）。ディスクＩＤを検出したときはステップＳ７０３へ進む一方、ディスクＩＤを検出できなかったときは、ステップＳ７１１へ進む。
【０１１３】
ステップＳ７１１：ディスクＩＤ生成
ディスクＩＤが検出できず、ディスクＩＤが無いディスク２０１については、別途ディスクＩＤを生成して当該ディスク２０１に記録し、ステップＳ７０６へ進む。
【０１１４】
ステップＳ７０３〜Ｓ７０５：履歴情報参照
検出されたディスクＩＤに基づいて装置２００内部のメモリ２１３より診断履歴情報を参照し（ステップＳ７０３）、診断履歴情報がないときはステップＳ７０６へ進む一方、診断履歴情報があるときは、診断履歴情報を読み出して（ステップＳ７０５）、ステップＳ７０６へ進む。
【０１１５】
ステップＳ７０６、Ｓ７０７：診断実施
診断履歴情報の各項目別にディスク２０１の診断を実施し（ステップＳ７０６）、診断が実施できないときはステップＳ７０８へ進む一方、診断が実施できるときはディスク診断を実施して（ステップＳ７０７）、ステップＳ７０８へ進む。これにより、通常のユーザ使用動作において計測可能な診断結果を蓄積することはもちろん、別途、ユーザがディスク２０１全体の特性を一括診断するモードを選択することによっても、もれなく当該ディスク２０１の特性の詳細を得ることが可能である。
【０１１６】
ステップＳ７０８〜Ｓ７１０：診断予測、結果表示
実施された診断結果又はこれまでの診断履歴情報よりディスク２０１の特性変化予測が可能であるときは（ステップＳ７０８でＹＥＳ）、診断結果又は診断履歴情報に基づいて特性変化予測を実施して近似出力し、その出力結果を表示する一方、特性変化が予測できないときは（ステップＳ７０８でＮＯ）、これまでの診断履歴情報及び診断結果の少なくとも一方を表示して本処理を終了する。
【０１１７】
上記第１の実施の形態によれば、診断処理部２０９において、ディスク診断を実施してディスク２０１の特性を診断履歴情報としてメモリ２１３に保存し、当該診断履歴情報に基づいてディスク２０１の特性変化予測を行い、その結果を表示してユーザに通知するので、ディスク状記録媒体の品質変化を監視し、記録再生を維持できる一定レベルの品質を維持する有効期限を予測してユーザに通知することができる。
【０１１８】
また、上記第１の実施の形態によれば、ディスク状記録媒体の特性といった信頼性の経時変化を絶えず監視することができる。さらに、ユーザにおいては、ディスク状記録媒体の新規購入時の選択に際して有効な情報を得られるばかりでなく、経時変化したディスク状記録媒体の特性変化状況、使用可否の指針を得ることができる。
【０１１９】
（第２の実施の形態）
図１７は、本発明の第２の実施の形態に係る記録再生装置の全体構成を示すブロック図である。
【０１２０】
本第２の実施の形態では、診断処理部２０９において、図１７に示したように、システムコントローラ２１２から媒体（ディスク２０１）周囲の温度情報１８０１を得ることによって、媒体の温度依存性を監視して特性変化予測を行うものである。
【０１２１】
温度検出の具体的方法としては、赤外線センサや温度センサ等を用いて媒体周囲の環境温度（例えば、媒体の表面温度等）を測定するものとする。上記第１の実施の形態では、媒体の経時特性変化を診断するものであったのに対し、本第２の実施の形態では、実使用環境における温度変化に応じて媒体の特性がどのように変化するかを掌握できるようにしたものである。
【０１２２】
本第２の実施の形態に基づく記録再生装置２００の診断動作について、図１８に示すフローチャートを用いて説明する。
【０１２３】
ステップＳ２００１、Ｓ２００２：ディスクＩＤ検出
ディスク２０１に予め記録されているディスク管理情報等よりディスク固有のディスクＩＤを検出する（ステップＳ２００１）。ディスクＩＤを検出したときはステップ２００３へ進む一方、ディスクＩＤを検出できなかったときは、ステップＳ２０１１へ進む。
【０１２４】
ステップＳ２０１１：ディスクＩＤ生成
ディスクＩＤが検出できず、ディスクＩＤが無いディスク２０１については、別途ディスクＩＤを生成して当該ディスク２０１に記録し、ステップＳ２００６へ進む。
【０１２５】
ステップＳ２００３〜Ｓ２００５：履歴情報参照
検出されたディスクＩＤに基づいて装置２００内部のメモリ２１３より診断履歴情報を参照し（ステップＳ２００３）、診断履歴情報がないときはステップＳ２００６へ進む一方、診断履歴情報があるときは、診断履歴情報を読み出して（ステップＳ２００５）、ステップＳ２００６へ進む。
【０１２６】
ステップＳ２００６〜Ｓ２００７：環境温度変化を監視
装置２００内部の不図示の温度センサによって、ディスク２０１の環境温度を取得する。そして、予め設定した所定温度差以上の変動があるときは（ステップＳ２００６でＹＥＳ）、ディスク２０１のディスク診断（特性診断）を実施する（ステップＳ２００７）。
【０１２７】
ステップＳ２００８、Ｓ２００９：診断実施
診断履歴情報の各項目別にディスク２０１の診断を実施し（ステップＳ２００８）、診断が実施できないときはステップＳ２０１０へ進む一方、診断が実施できるときはディスク診断を実施して（ステップＳ２００９）、ステップＳ２０１０へ進む。これにより、通常のユーザ使用動作において計測可能な診断結果を蓄積することはもちろん、別途、ユーザがディスク２０１全体の特性を一括診断するモードを選択することによっても、もれなく当該ディスク２０１の特性の詳細を得ることが可能である。診断の履歴は、図１９に示すように、媒体の環境温度依存性に基づく診断履歴情報として管理される。
【０１２８】
ステップＳ２０１０〜Ｓ２０１２：診断予測、結果表示
実施された診断結果又はこれまでの診断履歴情報よりディスク２０１の特性変化予測が可能であるときは（ステップＳ２０１０でＹＥＳ）、診断結果又は診断履歴情報に基づいて特性変化予測を実施して近似出力し、その出力結果を表示する一方、特性変化が予測できないときは（ステップＳ２０１０でＮＯ）、これまでの診断履歴情報及び診断結果の少なくとも一方を表示して本処理を終了する。
【０１２９】
上記第２の実施の形態によれば、ディスク診断を実施し、診断履歴情報及び媒体の環境温度変化に基づいて特性変化予測を行うので、ディスク状記録媒体の品質変化を監視し、記録再生を維持できる一定レベルの品質を維持する有効期限を主に環境温度変化に基づいて予測してユーザに通知することができる。
【０１３０】
また、ディスク状記録媒体の用途によっては、モバイル環境下での使用も考えられる。こうしたモバイル機器は、通常、小型化・密閉化されているので機器内部の温度上昇が著しい環境下におかれる。本発明では、過酷な使用環境下におかれる媒体の特性変化の履歴を、温度変化を監視することによって診断実行する機能を有する。これにより、ユーザはディスク状記録媒体の使途に応じて特性変化状況、使用可否の指針を得ることができる。
【０１３１】
（第３の実施の形態）
図２０は、本発明の第３の実施の形態に係る記録再生装置の診断動作処理を示すフローチャートである。
【０１３２】
本第３の実施の形態では、これまで詳述したような一連の診断履歴情報、特性変化予測結果を媒体（ディスク２０１）の一部に記録保存して診断履歴情報を管理・運用するものである。
【０１３３】
上記第１、第２の実施の形態では、異なる機器（記録再生装置２００）間で媒体を使用する場合、過去の診断履歴情報が反映されず、また、診断履歴情報が特定使用機種に限った特性に留まるものであった。すなわち、機器と媒体との相性まで診断することができないものであった。本第３の実施の形態では、機器間の個体差と媒体間の個体差との相性を踏まえて媒体の経時特性変化を掌握し、異なる機器間においても診断履歴情報を照会し、共有できるようにしたものである。
【０１３４】
本第３の実施の形態に基づく記録再生装置２００の診断動作について、図２０に示すフローチャートを用いて説明する。
【０１３５】
ステップＳ２１０１：媒体から診断履歴情報読み出し
ディスク２０１に予め記録されているディスク管理情報等を参照し、当該ディスク２０１に診断履歴情報が記録されているときは、当該診断履歴情報を読み出す。
【０１３６】
ステップＳ２１０２：媒体と機器固体番号照会
ディスク２０１固有のディスクＩＤをディスクＩＤ検出部２１１によりディスク２０１から読み取り、使用機器固体番号と共に、診断履歴情報を参照する。読み出した診断履歴情報が、当該使用機器固体番号と異なるときは、以降の診断動作、診断結果を前情報と独立して保存する。診断履歴情報が使用機器固体番号と一致しているときは、上記第１の実施の形態と同様の動作手順を行う。
【０１３７】
ステップＳ２１０３：目標アドレスにシーク
診断を実施するディスク位置（目標アドレス）にシークする。
【０１３８】
ステップＳ２１０４：記録再生パラメータの初期値設定
記録レーザーパワー、再生レーザーパワー、及びフォーカスオフセットやトラッキングオフセットといったサーボ系パラメータの初期値を設定する。初期値の設定には、予めディスク管理情報に記録されている推奨値に所定の比率を与えて算出する方法を用いてもよく、実際に試行録再を行う方法を用いてもよい。
【０１３９】
ステップＳ２１０５：診断実施、結果表示
各項目別に診断を実施する。通常のユーザ使用動作において計測可能な診断結果を蓄積することはもちろん、別途、ユーザがディスク全体の特性を一括診断するモードを選択することによって、もれなく、当該ディスクの特性の詳細を得ることが可能である。
【０１４０】
診断結果の表示リクエストがあった場合、各診断項目における機器間の違いによる特性差も表示する。また、これまでの診断履歴情報から、ディスクの特性変化予測が可能であれば、近似出力する。特性変化が予測できない場合は、これまでの履歴情報を表示する。
【０１４１】
ステップＳ２１０６：診断履歴を更新し、媒体に保存
最後に、得られた診断履歴情報を機器固有番号と共に更新し、媒体に保存する。
【０１４２】
上記第３の実施の形態によれば、ディスク２０１固有のディスクＩＤを読み出し、使用機器番号及び診断履歴情報を参照し、読み出したディスクＩＤと診断履歴情報における使用機器番号とが異なるときは、診断した診断履歴情報をディスク２０１に記録するので、ディスク２０１を他の記録再生装置で使用しても当該ディスク２０１の特性診断を行うことができる。
【０１４３】
また、上記第３の実施の形態によれば、機器と媒体との組み合わせの不具合といった相性問題に対しても、機器固有ＩＤとディスクＩＤとを独立管理して診断実行することができる。これにより、ユーザは機器と媒体との組み合わせ状況によるディスク状記録媒体の特性変化状況、使用可否の指針を得ることができる。
【０１４４】
本発明は、上記第１〜上記第３の実施の形態の機能を実現するソフトウェアのプログラム（図３、図６、図７、図９、図１３、図１６、図１８、及び図２０の処理に基づくプログラム）を記憶した記憶媒体をシステム或いは装置に供給し、そのシステム或いは装置のコンピュータ（又はＣＰＵやＭＰＵ）が記憶媒体に格納されたプログラムを読みだして実行することによっても、本発明の目的が達成されることは云うまでもない。
【０１４５】
この場合、記憶媒体から読み出されたプログラム自体が上記第１〜上記第３の実施の形態の機能を実現することとなり、そのプログラムを記憶した記憶媒体及び当該プログラムは本発明を構成することとなる。
【０１４６】
上記プログラムを供給するための記憶媒体としては、ＲＯＭ、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、及び不揮発性のメモリカード等を用いることができる。
【０１４７】
また、上記プログラムは、該プログラムを記憶した記憶媒体から直接、又はインターネット、商用ネットワーク、若しくはローカルエリアネットワーク等に接続される不図示の他のコンピュータやデータベース等からダウンロードすることにより供給されてもよい。
【０１４８】
コンピュータが読みだしたプログラムを実行することにより、上記第１〜上記第３の実施の形態の機能が実現されるだけでなく、そのプログラムの指示に基づき、コンピュータ上で稼動しているＯＳ等が実際の処理の一部又は全部を行い、その処理によって上記第１〜上記第３の実施の形態の機能が実現される場合も含まれることは云うまでもない。
【０１４９】
さらに、記憶媒体から読み出されたプログラムコードが、コンピュータに挿入された拡張機能ボードやコンピュータに接続された機能拡張ユニットに備わるメモリに記憶された後、そのプログラムコードの指示に基づき、その機能拡張ボードや機能拡張ユニットに備わるＣＰＵなどが実際の処理の一部又は全部を行い、その処理によって上記第１〜上記第３の実施の形態の機能が実現される場合も含まれることは云うまでもない。
【０１５０】
図２１は、本発明の機能をコンピュータに実現させるためのプログラムをコンピュータに読み出し可能な記憶媒体から読み出して実行する当該コンピュータの構成を示すブロック図である。
【０１５１】
図２１において、コンピュータ機能２２００は、ＣＰＵ２２０１と、ＲＯＭ２２０２と、ＲＡＭ２２０３と、キーボード（ＫＢ）２２０９のキーボードコントローラ（ＫＢＣ）２２０５と、表示部としてのＣＲＴディスプレイ（ＣＲＴ）２２１０のＣＲＴコントローラ（ＣＲＴＣ）２２０６と、ハードディスク（ＨＤ）２２１１及びフレキシブルディスク（ＦＤ）２２１２のディスクコントローラ（ＤＫＣ）２２０７と、ネットワーク２２２０との接続のためのネットワークインターフェースコントローラ（ＮＩＣ）２２０８とが、システムバス２２０４を介して互いに通信可能に接続された構成としている。
【０１５２】
ＣＰＵ２２０１は、ＲＯＭ２２０２或いはＨＤ２２１１に記憶されたソフトウェア、或いはＦＤ２２１２より供給されるソフトウェアを実行することで、システムバス２２０４に接続された各構成部を総括的に制御する。すなわち、ＣＰＵ２２０１は、所定の処理シーケンスに従った処理プログラムを、ＲＯＭ２２０２、或いはＨＤ２２１１、或いはＦＤ２２１２から読み出して実行することで、上記第１〜上記第３の実施の形態での動作を実現するための制御を行う。
【０１５３】
ＲＡＭ２２０３は、ＣＰＵ２２０１の主メモリ或いはワークエリア等として機能する。ＫＢＣ２２０５は、ＫＢ２２０９や不図示のポインティングデバイス等からの指示入力を制御する。ＣＲＴＣ２２０６は、ＣＲＴ２２１０の表示を制御する。ＤＫＣ２２０７は、ブートプログラム、種々のアプリケーション、編集ファイル、ユーザファイル、ネットワーク管理プログラム、及び第１〜第３の実施の形態における所定の処理プログラム等を記憶するＨＤ２２１１及びＦＤ２２１２とのアクセスを制御する。ＮＩＣ２２０８は、ネットワーク２２２０上の装置或いはシステムと双方向にデータをやりとりする。
【０１５４】
【発明の効果】
以上詳細に説明したように、本発明によれば、情報の記録及び情報の再生の少なくとも１つを行うときに記録媒体の特性を診断して診断履歴情報とし、当該診断履歴情報に基づいて記録媒体の特性が所定レベルに達する時期を予測し、診断履歴情報及び予測された時期を含む所定の情報を表示するので、記録媒体のメーカー間や製造ロット間等による個体差に影響されることなく、品質変化を監視して一定レベルの品質維持が可能な有効期限を予測してユーザに通知することができる。
【０１５５】
また、本発明によれば、情報の記録及び情報の再生の少なくとも１つを行うときに、記録媒体の温度変化に応じて記録媒体の特性を診断して診断履歴情報とし、当該診断履歴情報に基づいて記録媒体の特性が所定レベルに達する時期を予測し、診断履歴情報及び予測された時期を含む所定の情報を表示するので、記録媒体のメーカー間や製造ロット間等による個体差及び温度変化に影響されることなく、品質変化を監視して一定レベルの品質維持が可能な有効期限を予測してユーザに通知することができる。
【０１５６】
また、本発明によれば、記録媒体の固有識別番号と情報記録再生装置の固有識別番号との組み合わせに基づいて記録媒体の特性を診断し、当該記録媒体の特性を診断履歴情報として記録媒体に記録し、診断履歴情報に基づいて記録媒体の特性が所定レベルに達する時期を予測し、診断履歴情報及び予測された時期を含む所定の情報を表示するので、情報記録再生装置と記録媒体との組み合わせによる不具合に対しても、記録媒体の診断が実行でき、品質変化を監視して一定レベルの品質維持が可能な有効期限を予測してユーザに通知することができる。
【図面の簡単な説明】
【図１】本発明の第１の実施の形態に係る情報記録再生装置の全体構成を示すブロック図である。
【図２】図１における診断処理部２０９の内部構成を示すブロック図である。
【図３】図２における記録パワー診断処理１０１の動作処理を示すフローチャートである。
【図４】図３のステップＳ８０５における記録パワーの段階的切り換えを示す図であり、（ａ）は記録データ量の特性図、（ｂ）はディスクへの記録方法を示す図である。
【図５】記録パワー診断による特性変化及び再生パワー診断による特性変化を示す図であり、（ａ）は図３のステップＳ８０６までに得られた記録パワーの依存特性、（ｂ）は図６のステップＳ９０５までに得られた再生パワーの依存特性である。
【図６】図２における再生パワー診断処理１０２の動作処理を示すフローチャートである。
【図７】図２における欠陥診断１０３の動作処理を示すフローチャートである。
【図８】図７のステップＳ１１０２の欠陥検出による動作を示す図であり、（ａ）は機能ブロック図、（ｂ）は動作図である。
【図９】図２におけるチルト診断１０４の動作処理を示すフローチャートである。
【図１０】ディスク反射光量を監視するチルト検出部の構成を示す構成図である。
【図１１】図２における診断履歴管理１０５の具体的な構成を示す図である。
【図１２】図２における特性変化予測１０６の動作を示す図であり、（ａ）は記録パワーマージンの診断履歴情報に基づく将来の媒体特性変化予測を示し、（ｂ）は欠陥診断の履歴情報に基づく将来の媒体特性変化予測を示す。
【図１３】図２における特性変化予測１０６の動作処理を示すフローチャートである。
【図１４】図２の表示情報生成１０７によるレーダーチャートを用いた診断履歴情報を示す図であり、（ａ）は絶対レベルの表示例、（ｂ）は診断履歴情報の経時相対変化量を示す表示例である。
【図１５】図２の表示情報生成１０７による特性変化予測結果の表示情報生成例を示す図である。
【図１６】図１の記録再生装置２００の診断動作処理を示すフローチャートである。
【図１７】本発明の第２の実施の形態に係る記録再生装置の全体構成を示すブロック図である。
【図１８】図１７の記録再生装置２００の診断動作処理を示すフローチャートである。
【図１９】本発明の第２の実施の形態における診断履歴情報を示す図である。
【図２０】本発明の第３の実施の形態に係る記録再生装置２００の診断動作処理を示すフローチャートである。
【図２１】本発明の機能をコンピュータに実現させるためのプログラムをコンピュータに読み出し可能な記憶媒体から読み出して実行する当該コンピュータの構成を示すブロック図である。
【図２２】ディスク状記録媒体の特性変化を模式的に示す図である。
【符号の説明】
１０１　記録パワー診断
１０２　再生パワー診断
１０３　欠陥診断
１０４　チルト診断
１０５　履歴情報管理
１０６　特性変化予測
１０７　表示情報生成
２０１　ディスク状記録媒体
２０２　光ピックアップ
２０３　スピンドルモータ
２０４　トラバースモータ
２０５　サーボＤＳＰ
２０６　磁気ヘッド
２０７　記録処理部
２０８　再生処理部
２０９　診断処理部
２１０　表示部
２１１　ディスクＩＤ検出部
２１２　システムコントローラ
２１３　メモリ
【図１】
2004062975.tif 000003
【図２】
2004062975.tif 000004
【図３】
2004062975.tif 000005
【図４】
2004062975.tif 000006
【図５】
2004062975.tif 000007
【図６】
2004062975.tif 000008
【図７】
2004062975.tif 000009
【図８】
2004062975.tif 000010
【図９】
2004062975.tif 000011
【図１０】
2004062975.tif 000012
【図１１】
2004062975.tif 000013
【図１２】
2004062975.tif 000014
【図１３】
2004062975.tif 000015
【図１４】
2004062975.tif 000016
【図１５】
2004062975.tif 000017
【図１６】
2004062975.tif 000018
【図１７】
2004062975.tif 000019
【図１８】
2004062975.tif 000020
【図１９】
2004062975.tif 000021
【図２０】
2004062975.tif 000022
【図２１】
2004062975.tif 000023
【図２２】
2004062975.tif 000024